(57)【要約】【課題】  平坦な透過域でかつ低損失な受信用チャネルを有する送受信用アレイ導波路型波長合分波器および１心ファイバで送受信伝送可能な低コストの光波長分割多重伝送装置を提供すること。【解決手段】  導波路基板１０１上には、入力ポート１０２に接続された入力導波路１０４と、信号光を回折現象を利用して広げるための入力スラブ導波路１０５と、内側の導波路に対して所定の光路長△Ｌだけ長い多数の導波路からなるアレイ導波路１０６と、アレイ導波路１０６中を伝搬する光を干渉させて集光させるための出力スラブ導波路１０７と、この出力スラブ導波路１０７に接続された複数本の出力導波路１０８と、が備えられている。出力導波路１０８は、４本のシングルモード型出力導波路と４本のマルチモード型出力導波路とにより構成されている。【選択図】  図３
2005134481.tif 000002
【特許請求の範囲】
【請求項１】
導波路基板上に、少なくとも１本のシングルモード型入力チャネル導波路と、当該シングルモード型入力チャネル導波路に光学的に接続される入力スラブ導波路と、所定の導波路長差を有する複数本のシングルモード型導波路で構成されたチャネル導波路アレイであって前記入力スラブ導波路と出力スラブ導波路とを光学的に接続するチャネル導波路アレイと、前記出力スラブ導波路に光学的に接続される出力導波路と、を備えたアレイ導波路型波長合分波器であって、
前記出力導波路は、少なくとも１本のシングルモード型出力チャネル導波路と少なくとも１本のマルチモード型出力チャネル導波路とにより構成されていることを特徴とするアレイ導波路型波長合分波器。
【請求項２】
前記出力導波路は、前記シングルモード型出力チャネル導波路と前記マルチモード型出力チャネル導波路とが順次交互に配置されて構成されていることを特徴とする請求項１に記載のアレイ導波路型波長合分波器。
【請求項３】
前記シングルモード型入力チャネル導波路は、中心波長が互いに△λだけ異なるように設定配置された第１および第２の２本のシングルモード型導波路を備え、
前記出力導波路を構成する前記シングルモード型出力チャネル導波路と前記マルチモード型出力チャネル導波路は、中心波長間隔が相互に△λだけ異なるように設定されていることを特徴とする請求項２に記載のアレイ導波路型波長合分波器。
【請求項４】
前記出力導波路は複数のマルチモード型出力チャネル導波路を備え、
隣接するマルチモード型出力チャネル導波路相互間には当該マルチモード型出力チャネル導波路の延在方向に沿う溝が設けられていることを特徴とする請求項１乃至３の何れかに記載のアレイ導波路型波長合分波器。
【請求項５】
前記マルチモード型出力チャネル導波路の延在方向に沿う溝の内部には、前記マルチモード型出力チャネル導波路中を伝搬する波長の光を遮蔽する材料が充填されていることを特徴とする請求項４に記載のアレイ導波路型波長合分波器。
【請求項６】
前記出力導波路は複数のマルチモード型出力チャネル導波路を備え、
隣接するマルチモード型出力チャネル導波路相互間には当該マルチモード型出力チャネル導波路の延在方向に沿うダミーのチャネル導波路が設けられていることを特徴とする請求項１乃至３の何れかに記載のアレイ導波路型波長合分波器。
【請求項７】
前記入力スラブ導波路との接続領域における前記シングルモード型入力チャネル導波路のコア部および前記出力スラブ導波路との接続領域における前記シングルモード型出力チャネル導波路のコア部は共にテーパ形状を有し、当該２つのテーパ形状は互いに非同一の幅を有するものであることを特徴とする請求項１乃至６の何れかに記載のアレイ導波路型波長合分波器。
【請求項８】
前記入力スラブ導波路との接続領域における前記シングルモード型入力チャネル導波路のコア部は、パラボラ形状を有していることを特徴とする請求項１乃至６の何れかに記載のアレイ導波路型波長合分波器。
【請求項９】
請求項１または２に記載の第１および第２の２つのアレイ導波路型波長合分波器を、当該第１および第２のアレイ導波路型波長合分波器の各々が備える前記シングルモード型入力チャネル導波路に光接続された伝送用シングルモード型ファイバで相互接続された光波長分割多重伝送装置であって、
前記第１および第２のアレイ導波路型波長合分波器の各々には、所望の波長の光信号を送出する光送信素子が前記シングルモード型出力チャネル導波路に接続されるとともに、光受信素子が前記マルチモード型出力チャネル導波路に接続され、
前記第１のアレイ導波路型波長合分波器のシングルモード型出力チャネル導波路から入出力される波長の光が前記第２のアレイ導波路型波長合分波器のマルチモード型出力チャネル導波路に出入力され、且つ、前記第２のアレイ導波路型波長合分波器のシングルモード型出力チャネル導波路から入出力される波長の光が前記第１のアレイ導波路型波長合分波器のマルチモード型出力チャネル導波路に出入力されるように構成されていることを特徴とする光波長分割多重伝送装置。
【請求項１０】
請求項３に記載の第１および第２の２つのアレイ導波路型波長合分波器を、当該第１および第２のアレイ導波路型波長合分波器の各々が備える前記第１または第２のシングルモード型入力チャネル導波路に光接続された伝送用シングルモード型ファイバで相互接続された光波長分割多重伝送装置であって、
前記第１および第２のアレイ導波路型波長合分波器の各々には、所望の波長の光信号を送出する光送信素子が前記シングルモード型出力チャネル導波路に接続されるとともに、光受信素子が前記マルチモード型出力チャネル導波路に接続され、
前記第１のアレイ導波路型波長合分波器のシングルモード型出力チャネル導波路から入出力される波長の光が前記第２のアレイ導波路型波長合分波器のマルチモード型出力チャネル導波路に出入力され、且つ、前記第２のアレイ導波路型波長合分波器のシングルモード型出力チャネル導波路から入出力される波長の光が前記第１のアレイ導波路型波長合分波器のマルチモード型出力チャネル導波路に出入力されるように構成されていることを特徴とする光波長分割多重伝送装置。
【発明の詳細な説明】
【技術分野】
【０００１】
本発明は、アレイ導波路型波長合分波器および光波長分割多重伝送装置に関し、より詳細には、平坦な透過域でかつ低損失な受信用チャネルを有する送受信用のアレイ導波路型波長合分波器および１心ファイバで送受信伝送可能な低コストの光波長分割多重伝送装置に関する。
【背景技術】
【０００２】
波長分割多重システムにおいては、互いに波長の異なる多数の光信号を合波・分波する光合分波器が必要不可欠である。このような光分波器としては、量産性や安定性の観点から、アレイ導波路回折格子型光合分波器（AWG: Arrayed-Waveguide Grating）が用いられることが多い（例えば、特許文献１）。
【０００３】
図１は、AWGの従来の構成例を説明するための概略図で、導波路基板１１に、入力ポート１２と出力ポート１３とが設けられ、入力ポート１２から入力された信号光は、入力導波路１４、入力スラブ導波路１５、所定の光路長差△Ｌを有するアレイ導波路１６、出力スラブ導波路１７および出力導波路１８を導波して、出力ポート１３（この図では８つのポートから構成されている）から出力される。入力ポート１２から入力された信号光は、入力スラブ導波路１５内で回折により広がり、複数の導波路からなるアレイ導波路１６へと結合し、アレイ導波路１６の伝搬中に光路長差△Ｌに基づく光位相遅延を受ける。この光位相遅延差は光の波長に依存するため、出力スラブ導波路１７内で生じる干渉により波長毎に異なる出力チャネル導波路に集光して各出力ポート１３−１〜８から出力されることで波長分波機能を奏することとなる。
【０００４】
【特許文献１】特許第３１１２２４６号明細書
【発明の開示】
【発明が解決しようとする課題】
【０００５】
従来、AWGは合波器の機能も併用していたため、出力チャネル導波路はシングルモード型導波路から構成されていた。しかし、出力チャネル導波路をシングルモード型導波路で構成すると、分波する光の波長において平坦な透過域で且つ低透過損失とすることは困難であった。
【０００６】
図２は、従来のAWGの挿入損失特性を説明するための図で、この図ではAWGが８波長の分波器の場合について示されており、横軸は波長を、縦軸は挿入損失を表している。通常のAWGの透過域は、シングルモード型導波路におけるガウス型光フィールドを反映して急峻で狭いガウス形状となる。このようなAWGを備える送信側合波器と受信側分波器とを対向させて用いた場合には、総合的な通過域特性が更に狭くなってしまい、グリッドから波長がずれた際には著しい損失増加を招く結果となる。そのために、送信用レーザ光の波長を高精度に制御しなければならなくなる。この問題は、半導休レーザを温度無調整で使用するCoarse-WDMシステムにおいて特に深刻となる。
【０００７】
本発明はこのような問題に鑑みてなされたもので、その目的とするところは、平坦な透過域でかつ低損失な受信用チャネルを有する送受信用のアレイ導波路型波長合分波器を提供し、さらに、この合分波器を用いて１心ファイバで送受信伝送可能な低コストの光波長分割多重伝送装置を提供することにある。
【課題を解決するための手段】
【０００８】
このような目的を達成するために、本発明のアレイ導波路型波長合分波器は、導波路基板上に、少なくとも１本のシングルモード型入力チャネル導波路と、当該シングルモード型入力チャネル導波路に光学的に接続される入力スラブ導波路と、所定の導波路長差を有する複数本のシングルモード型導波路で構成されたチャネル導波路アレイであって前記入力スラブ導波路と出力スラブ導波路とを光学的に接続するチャネル導波路アレイと、前記出力スラブ導波路に光学的に接続される出力導波路と、を備えたアレイ導波路型波長合分波器であって、前記出力導波路は、少なくとも１本のシングルモード型出力チャネル導波路と少なくとも１本のマルチモード型出力チャネル導波路とにより構成されていることを特徴とする。
【０００９】
好ましくは、前記出力導波路は、前記シングルモード型出力チャネル導波路と前記マルチモード型出力チャネル導波路とが順次交互に配置されて構成される。
【００１０】
また、好ましくは、前記シングルモード型入力チャネル導波路は、中心波長が互いに△λだけ異なるように設定配置された第１および第２の２本のシングルモード型導波路を備え、前記出力導波路を構成する前記シングルモード型出力チャネル導波路と前記マルチモード型出力チャネル導波路は、中心波長間隔が相互に△λだけ異なるように設定される。
【００１１】
さらに、好ましくは、前記出力導波路は複数のマルチモード型出力チャネル導波路を備え、隣接するマルチモード型出力チャネル導波路相互間には当該マルチモード型出力チャネル導波路の延在方向に沿う溝が設けられている。このマルチモード型出力チャネル導波路の延在方向に沿う溝の内部には、前記マルチモード型出力チャネル導波路中を伝搬する波長の光を遮蔽する材料が充填されていてもよい。なお、前記出力導波路は複数のマルチモード型出力チャネル導波路を備え、隣接するマルチモード型出力チャネル導波路相互間には当該マルチモード型出力チャネル導波路の延在方向に沿うダミーのチャネル導波路が設けられていてもよい。
【００１２】
好ましくは、これらのアレイ導波路型波長合分波器は、前記入力スラブ導波路との接続領域における前記シングルモード型入力チャネル導波路のコア部および前記出力スラブ導波路との接続領域における前記シングルモード型出力チャネル導波路のコア部は共にテーパ形状を有し、当該２つのテーパ形状は互いに非同一の幅を有するものである。また、入力スラブ導波路との接続領域における前記シングルモード型入力チャネル導波路のコア部は、パラボラ形状を有しているようにしてもよい。
【００１３】
本発明の光波長分割多重伝送装置は、第１および第２の２つのアレイ導波路型波長合分波器を、当該第１および第２のアレイ導波路型波長合分波器の各々が備える前記シングルモード型入力チャネル導波路に光接続された伝送用シングルモード型ファイバで相互接続された光波長分割多重伝送装置であって、前記第１および第２のアレイ導波路型波長合分波器の各々には、所望の波長の光信号を送出する光送信素子が前記シングルモード型出力チャネル導波路に接続されるとともに、光受信素子が前記マルチモード型出力チャネル導波路に接続され、前記第１のアレイ導波路型波長合分波器のシングルモード型出力チャネル導波路から入出力される波長の光が前記第２のアレイ導波路型波長合分波器のマルチモード型出力チャネル導波路に出入力され、且つ、前記第２のアレイ導波路型波長合分波器のシングルモード型出力チャネル導波路から入出力される波長の光が前記第１のアレイ導波路型波長合分波器のマルチモード型出力チャネル導波路に出入力されるように構成されていることを特徴とする。
【００１４】
また、本発明の光波長分割多重伝送装置は、第１および第２の２つのアレイ導波路型波長合分波器を、当該第１および第２のアレイ導波路型波長合分波器の各々が備える前記第１または第２のシングルモード型入力チャネル導波路に光接続された伝送用シングルモード型ファイバで相互接続された光波長分割多重伝送装置であって、前記第１および第２のアレイ導波路型波長合分波器の各々には、所望の波長の光信号を送出する光送信素子が前記シングルモード型出力チャネル導波路に接続されるとともに、光受信素子が前記マルチモード型出力チャネル導波路に接続され、前記第１のアレイ導波路型波長合分波器のシングルモード型出力チャネル導波路から入出力される波長の光が前記第２のアレイ導波路型波長合分波器のマルチモード型出力チャネル導波路に出入力され、且つ、前記第２のアレイ導波路型波長合分波器のシングルモード型出力チャネル導波路から入出力される波長の光が前記第１のアレイ導波路型波長合分波器のマルチモード型出力チャネル導波路に出入力されるように構成されていることを特徴とする。
【発明の効果】
【００１５】
本発明により、平坦な透過域でかつ低損失な受信用チャネルを有する送受信用のアレイ導波路型波長合分波器および１心ファイバで送受信伝送可能な低コストの光波長分割多重伝送装置を提供することが可能となる。
【発明を実施するための最良の形態】
【００１６】
以下に、図面を参照して本発明の実施の形態について説明するが、本明細書において「光合分波器」というときは広く「光合分波回路」をも意味するものとして用いる。また、説明の簡略化のために、同一の用語には同一の符号を付すこととする。
【実施例１】
【００１７】
図３（ａ）〜（ｃ）は、本発明のアレイ導波路型波長合分波器の第１の構成例を説明するための図で、図３（ａ）に示すように、導波路基板１０１に入力ポート１０２と出力ポート１０３とが設けられており、導波路基板１０１上には、入力ポート１０２に接続された入力導波路１０４と、入力ポート１０２から入力された信号光を回折現象を利用して広げるための入力スラブ導波路１０５と、内側の導波路に対して所定の光路長△Ｌだけ長い多数の導波路からなるアレイ導波路１０６と、アレイ導波路１０６中を伝搬する光を干渉させて集光させるための出力スラブ導波路１０７と、この出力スラブ導波路１０７に接続された複数本の出力導波路１０８と、が備えられており、複数本の出力導波路１０８の各々の導波路は出力ポート１０３の対応するポートへと接続されている。
【００１８】
本発明のアレイ導波路型波長合分波器が備える出力導波路１０８は、図３（ｂ）に示すように、複数本（Ｎ本）のシングルモード型出力導波路とマルチモード型出力導波路とにより構成されており、図３（ａ）に示した例では合分波波長数として８波（Ｎ＝８）が想定されており、４本のシングルモード型出力導波路と４本のマルチモード型出力導波路とにより出力導波路１０８が構成されている。
【００１９】
導波路基板１０１の端面に設けられた入力ポート１０２から入力された波長多重光信号は、入力スラブ導波路１０５内において回折により広がり、複数の導波路により構成されたアレイ導波路１０６によって受光される。受光された信号光はアレイ導波路１０６中を伝搬する際に光路長差△Ｌに対応する光位相遅延が生じるが、この光位相遅延量は波長依存性を有するため、出力スラブ導波路１０７内の干渉効果により、光の波長に応じて出力導波路１０８を構成する異なる導波路に集光し分波出力されることになる。
【００２０】
図３（ｂ）に示すように、出力導波路１０８を構成する８本の導波路のうち、短波長側の４本は導波路幅を広げたマルチモード型導波路であり、長波長側の４本は出力スラブ導波路１０７端側に若干のテーパ形状を設けたシングルモード型導波路である。なお、出力スラブ導波路１０７端側に設けられるテーパ形状は、損失低減と通過域幅調整用として設けられるものである。導波路コアの寸法は、比屈折率差△が０．７５％として、シングルモード型導波路は幅６μｍ×高さ６μｍ、マルチモード型導波路は幅５０μｍ×高さ６μｍとしている。また、図３（ｃ１）に平面図、図３（ｃ２）に図３（ｃ１）中のＡ−Ａ´の断面図を示すように、マルチモード型導波路相互間には、クラッド層を一部加工して形成された溝内に、カーボン等の光遮断特性を有する材料を含有する樹脂材料を充填している。この溝は、マルチモード型導波路の曲線部で放射する高次モード光が隣接するマルチモード型導波路に漏れ込むことを防止する遮光溝として機能する。なお、このような遮光溝に代えて、隣接するマルチモード型導波路相互間にこれらのマルチモード型導波路の延在方向に沿うダミーのチャネル導波路を設けることとしてもよい。
【００２１】
分波特性の通過域形状は、出力スラブ導波路１０７内で集光する光の出力導波路１０８への結合具合で決定される。シングルモード型出力導波路の場合は、出力スラブ導波路１０７とシングルモード型出力導波路の両方の光フィールドの重なり積分となる。ここで、出力スラブ導波路１０７内で集光する光のフィールド形状は、シングルモード型導波路での光フィールドを反映してガウス形状となり、このガウス形状の光スポットが光の波長に応じて出力スラブ導波路１０７の出力導波路１０８側の円弧状の端面を移動することになる。シングルモード型出力導波路に繋がるテーパ形状導波路もほぼガウス形状の光フィールドであるので、それらの光フィールドの重なり積分の波長依存性である通過域形状もガウス形状となる。一方、マルチモード型導波路はコアに入射した光をほぼ全部受光することが可能であるため、マルチモード型出力導波路における通過域特性は平坦で低損失なものとなる。
【００２２】
図４は、本実施例の挿入損失特性の波長依存性を説明するための図である。マルチモード型出力導波路を意味する出力（ポート＃１〜＃４に対応）は低損失で平坦な波長特性となっている。一方、従来と同様のシングルモード型出力導波路を意味する出力（ポート＃５〜＃８に対応）はガウス形状の波長特性となっている。本実施例では、マルチモード型出力導波路は受光専用となるが、必要に応じて平坦で低損失な波長チャネルを設けることも可能である。
【実施例２】
【００２３】
本実施例の光波長分割多重伝送装置は、実施例１で説明した本発明のアレイ導波路型波長合分波回路を用いて構成された１心ファイバ双方向の光波長分割多重伝送装置である。
【００２４】
図５は、本実施例の１心ファイバ双方向の光波長分割多重伝送装置の構成を説明するための図で、この図では、光送信素子が４波長で光受信素子が４波長（合計８波）の１心ファイバ双方向光波長分割多重伝送装置の構成例が図示されている。この１心ファイバ双方向の光波長分割多重伝送装置は、４波長の光送信素子１０９ａと同じく４波長の光受信素子１１０ａとが出力ポート１０３ａに接続された第１のアレイ導波路型波長合分波回路１００ａと、第１のアレイ導波路型波長合分波回路１００ａとは送受信波長が入れ替わるように４波長ずつの光送信素子１０９ｂと光受信素子１１０ｂとが出力ポート１０３ｂに接続された第２のアレイ導波路型波長合分波回路１００ｂとを、これらのアレイ導波路型波長合分波回路の入力ポート（１０２ａ、１０２ｂ）同士を伝送路用シングルモードファイバ１１１で接続して構成されている。
【００２５】
この図では、第１のアレイ導波路型波長合分波回路１００ａでは、短波長側の出力ポート＃１〜４をシングルモード型導波路として光送信素子１０９ａとシングルモードファイバを介して接続し、長波長側の出力ポート＃５〜８をマルチモード型導波路として光受信素子１１０ａとマルチモードファイバを介して接続している。一方、第２のアレイ導波路型波長合分波回路１００ｂでは、短波長側の出力ポート＃１〜４をマルチモード型導波路として光受信素子１０９ｂとマルチモードファイバを介して接続し、長波長側の出力ポート＃５〜８をシングルモード型導波路として光送信素子１１０ｂとシングルモードファイバを介して接続した。このような構成の第１および第２のアレイ導波路型波長合分波回路の入力ポート（１０２ａ、１０２ｂ）を伝送路用シングルモードファイバ１１１で接続することにより、４波ずつ合計８波を１心ファイバで双方向に波長分割多重伝送することができる。
【００２６】
このような構成をとることとすれば、アレイ導波路型波長合分波回路の受光側に通過域が低損失で平坦なマルチモード型出力導波路が設けられているために、合波および分波用の２つのアレイ導波路型波長合分波回路を用いても通過域の狭窄化やグリッドからの波長ずれによる挿入損失の著しい増加を抑制でき、これにより、光送信素子である半導体レーザの波長設定精度を緩和でき、低コスト化を図ることが可能となる。
【実施例３】
【００２７】
本実施例のアレイ導波路型波長合分波器は、１×８のアレイ導波路型波長合分波器（回路）である。
【００２８】
図６は、本実施例のアレイ導波路型波長合分波器の回路構成を説明するための図で、この回路は、導波路基板１０１に２つの入力ポート（１０２−１および１０２−２）と９つのポートを有する出力ポート１０３とが設けられており、導波路基板１０１上には、中心波長が分波波長間隔△λだけ異なる設定で配置され入力ポート１０２−１と１０２−２に接続されたシングルモード型導波路である第１および第２の入力導波路（１０４−１および１０４−２）と、入力ポート１０２から入力された信号光を回折現象を利用して広げるための入力スラブ導波路１０５と、内側の導波路に対して所定の光路長△Ｌだけ長い多数の導波路からなるアレイ導波路１０６と、アレイ導波路１０６中を伝搬する光を干渉させて集光させるための出力スラブ導波路１０７と、が順次接続されている。そして、出力スラブ導波路１０７の出力側には、中心波長間隔が△λだけ異なる設定となるようにシングルモード型出力チャネル導波路とマルチモード型出力チャネル導波路を交互に配置して構成された出力導波路１０８が設けられており、出力ポート１０３へと接続されている。
【００２９】
本実施例では、出力導波路１０８は９本の導波路で構成されており、出力ポート１０３の９つのポート（＃１〜９）のうちの奇数番号ポートにはマルチモード型出力導波路を、偶数番号ポートにはシングルモード型出力導波路を接続している。また、図６中に挿入した図で示すように、入力スラブ導波路１０５の入力導波路側のテーパ幅をＷ１とし、出力スラブ導波路１０７の出力導波路側のシングルモード型出力導波路のテーパ幅をＷ２として、シングルモード型導波路のテーパ幅が入力側と出力側とで非対称となる寸法とした。
【００３０】
図７は、本実施例のアレイ導波路型波長合分波回路の波長特性を説明するための図で、この合分波回路の中心波長（第１の入力ポート１０２−１から入力され第５の出力ポート１０３＃５から出力される光の波長）をλ４と設定した場合の挿入損失の波長依存性である。
【００３１】
図７（ａ）は、第１の入力導波路１０４−１に接続された第１の入力ポート１０２−１における損失特性であり、入力ポート１０２−１から入力された光は波長λ１〜λ８の光として分波されて出力ポート１０３のうちの＃２〜＃９のポートから出力される。上述したように、偶数番目の出力ポートについては、入力スラブ導波路１０５の入力導波路側のテーパ幅をＷ１とし、出力スラブ導波路１０７の出力導波路側のシングルモード型出力導波路のテーパ幅をＷ２として、シングルモード型導波路のテーパ幅が入力側と出力側とで非対称としたことにより、挿入損失の増加は伴うものの通過域幅拡大が実現されている。一方、奇数番目の出力ポートについては、前述と同様の原理により、低損失で平坦な通過域を実現している。
【００３２】
図７（ｂ）は、第２の入力導波路１０４−２に接続された第２の入力ポート１０２−２における損失特性であり、第１と第２の入力導波路（１０４−１および１０４−２）は１波長間隔分△λだけずらして設けられているため、１波長間隔分Δλだけずれて分波される。
【００３３】
すなわち、第１の入力ポート１０２−１から入力された光は２番目の出力ポート（１０３の＃２）にはλ１が分波されるが、第２の入力ポート１０２−２から入力された光は２番目の出力ポート（１０３の＃２）にはλ２が分波される。その結果、光は波長λ１〜λ８の光に分波されて、第１〜８の出力ポート（１０３の＃１〜＃８）から出力される。すなわち、同一波長の光に着目すると、入力ポートの切り替えにより、互いに隣り合う出力ポートに接続されているシングルモード型出力導波路とマルチモード型出力導波路との切り替えを行うことが可能となる。
【実施例４】
【００３４】
本実施例のアレイ導波路型波長合分波器も実施例３と同様に、１×８のアレイ導波路型波長合分波器（回路）であり、第１および第２の入力導波路（１０４−１および１０４−２）の入力スラブ導波路１０５端のテーパ形状をパラボラ型テーパ形状としている。
【００３５】
図８は、本実施例のアレイ導波路型波長合分波器の回路構成を説明するための図で、この回路は、導波路基板１０１に２つの入力ポート（１０２−１および１０２−２）と９つのポート（＃１〜９）を有する出力ポート１０３とが設けられており、導波路基板１０１上には、中心波長が分波波長間隔△λだけ異なる設定で配置され入力ポート１０２−１と１０２−２に接続されたシングルモード型導波路である第１および第２の入力導波路（１０４−１および１０４−２）と、入力ポート１０２から入力された信号光を回折現象を利用して広げるための入力スラブ導波路１０５と、内側の導波路に対して所定の光路長△Ｌだけ長い多数の導波路からなるアレイ導波路１０６と、アレイ導波路１０６中を伝搬する光を干渉させて集光させるための出力スラブ導波路１０７と、が順次接続されている。そして、出力スラブ導波路１０７の出力側には、中心波長間隔が△λだけ異なる設定となるようにシングルモード型出力チャネル導波路とマルチモード型出力チャネル導波路を交互に配置して構成された出力導波路１０８が設けられており、出力ポート１０３へと接続されている。
【００３６】
本実施例では、出力導波路１０８は９本の導波路で構成されており、出力ポート１０３の９つのポートのうちの奇数番号ポートにはマルチモード型出力導波路を、偶数番号ポートにはシングルモード型出力導波路を接続している。また、図８中に挿入した図で示すように、第１および第２の入力導波路（１０４−１および１０４−２）の入力スラブ導波路１０５端側のテーパ形状はパラボラ型テーパ形状とされている。
【００３７】
第１および第２の入力導波路（１０４−１および１０４−２）のパラボラ型テーパの形状と長さを適当な値に設定すると、パラボラ型テーパと入力スラブ導波路１０５との境界において、ほぼ矩形の光フィールドが実現できる（例えば、特許文献１参照）。矩形の光フィールドがアレイ導波路１０６に入射されると、空間的フーリエ変換の関係によりアレイ導波路１０６の電界分布はｓｉｎｅ関数状の分布となり、出力スラブ導波路１０７と出力導波路１０８との境界でほぼ矩形の光フィールドが再び形成される。矩形の光フィールドとシングルモード型出力導波路のガウス形状光フィールドの重なり積分の結果、２ｄＢ程度の過剰損失が伴うが平坦な通過域特性が得られることとなる。
【００３８】
図９は、本実施例のアレイ導波路型波長合分波回路の波長特性を説明するための図で、この合分波回路の中心波長（第１の入力ポート１０２−１から入力され第５の出力ポート１０３＃５から出力される光の波長）をλ４と設定した場合の挿入損失の波長依存性である。
【００３９】
図９（ａ）は、第１の入力導波路１０４−１に接続された第１の入力ポート１０２−１における損失特性であり、入力ポート１０２−１から入力された光は波長λ１〜λ８の光として分波されて出力ポート１０３のうちの＃２〜＃９のポートから出力される。偶数番目の出力ポートについて、上述した入力導波路パラボラ型テーパにより過剰損失を伴うこととなるが、平坦な通過域が実現されている。また、奇数番目の出力ポートについては、前述と同様の原理により、低損失で平坦な通過域を実現している。
【００４０】
図９（ｂ）は、第２の入力導波路１０４−２に接続された第２の入力ポート１０２−２における損失特性であり、第１と第２の入力導波路（１０４−１および１０４−２）は１波長間隔分△λだけずらして設けられているため、１波長間隔分Δλだけずれて分波される。
【００４１】
すなわち、第１の入力ポート１０２−１から入力された光は２番目の出力ポート（１０３の＃２）にはλ１が分波されるが、第２の入力ポート１０２−２から入力された光は２番目の出力ポート（１０３の＃２）にはλ２が分波される。その結果、光は波長λ１〜λ８の光に分波されて、第１〜８の出力ポート（１０３の＃１〜＃８）から出力される。すなわち、同一波長の光に着目すると、入力ポートの切り替えにより、互いに隣り合う出力ポートに接続されているシングルモード型出力導波路とマルチモード型出力導波路との切り替えを行うことが可能となる。
【実施例５】
【００４２】
本実施例の光波長分割多重伝送装置は、実施例３および実施例４で説明した本発明のアレイ導波路型波長合分波回路を用いて構成された１心ファイバ双方向の光波長分割多重伝送装置である。
【００４３】
図１０は、本実施例の１心ファイバ双方向の光波長分割多重伝送装置の構成を説明するための図で、この図では、送信素子が４波長で受信素子が４波長（合計８波）の１心ファイバ双方向光波長分割多重伝送装置の構成例が図示されている。この１心ファイバ双方向の光波長分割多重伝送装置は、４波長の光送信素子１０９ａと同じく４波長の光受信素子１１０ａが出力ポート１０３ａに接続された第１のアレイ導波路型波長合分波回路１００ａと、第１のアレイ導波路型波長合分波回路１００ａとは送受信波長が入れ替わるように４波長ずつの光送信素子１０９ｂと光受信素子１１０ｂが出力ポート１０３ｂに接続された第２のアレイ導波路型波長合分波回路１００ｂとを、これらのアレイ導波路型波長合分波回路の入力ポート（１０２ａ、１０２ｂ）同士を伝送路用シングルモードファイバ１１１で接続して構成されている。
【００４４】
第１のアレイ導波路型波長合分波回路１００ａでは、シングルモード型出力導波路である偶数番目の出力ポート（２、４、６、８）と波長λ２、λ４、λ６およびλ８の光送信素子１１０ａとをシングルモードファイバを介して接続し、マルチモード型出力導波路である奇数番目の出力ポート（１、３、５、７）と光受信素子１０９ａとをマルチモードファイバを介して接続している。
【００４５】
一方、第２のアレイ導波路型波長合分波回路１００ｂでは、シングルモード型出力導波路である偶数番目の出力ポート（２、４、６、８）と波長λ１、λ３、λ５およびλ７の光送信素子１１０ｂとをシングルモードファイバを介して接続し、マルチモード型出力導波路である奇数番目の出力ポート（１、３、５、７）と光受信素子１０９ｂとをマルチモードファイバを介して接続した。さらに、第１のアレイ導波路型波長合分波回路１００ａの第２の入力ポート１０２ａ２と第２のアレイ導波路型波長合分波回路１００ｂの第１の入力ポート１０２ｂ１とを伝送路用シングルモードファイバ１１１で接続した。第１および第２のアレイ導波路型波長合分波回路（１００ａおよび１００ｂ）は全く同一仕様の回路であるが、伝送路用シングルモードファイバ１１１を接続する入力ポートを切り替えることにより、４波ずつ合計８波を１心ファイバで双方向に波長分割多重伝送することができる。
【００４６】
このような構成をとることとすれば、アレイ導波路型波長合分波回路の受光側に通過域が低損失で平坦なマルチモード型出力導波路が設けられているために、合波および分波用の２つのアレイ導波路型波長合分波回路を用いても通過域の狭窄化やグリッドからの波長ずれによる挿入損失の著しい増加を抑制でき、これにより、光送信素子である半導体レーザの波長設定精度を緩和でき、低コスト化を図ることが可能となる。
【００４７】
以上、本発明について実施例１〜５によりその効果について説明したが、本発明の構成はこれらの実施例のみに限定されるものではなく、各実施例の構成を可能な限り組み合わせることができることは明らかである。
【００４８】
以下に実施例により、本発明をより詳細に説明する。
【産業上の利用可能性】
【００４９】
本発明は、平坦な透過域でかつ低損失な受信用チャネルを有する送受信用アレイ導波路型波長合分波器および１心ファイバで送受信伝送可能な低コストの光波長分割多重伝送装置の提供を可能とする。
【図面の簡単な説明】
【００５０】
【図１】AWGの従来の構成例を説明するための概略図である。
【図２】従来のAWGの挿入損失特性を説明するための図である。
【図３】本発明のアレイ導波路型波長合分波器の第１の構成例を説明するための図である。
【図４】実施例１の挿入損失特性の波長依存性を説明するための図である。
【図５】実施例２の１心ファイバ双方向の光波長分割多重伝送装置の構成を説明するための図である。
【図６】実施例３のアレイ導波路型波長合分波器の回路構成を説明するための図である。
【図７】実施例３のアレイ導波路型波長合分波回路の波長特性を説明するための図である。
【図８】実施例４のアレイ導波路型波長合分波器の回路構成を説明するための図である。
【図９】実施例４のアレイ導波路型波長合分波回路の波長特性を説明するための図である。
【図１０】実施例５の１心ファイバ双方向の光波長分割多重伝送装置の構成を説明するための図である。
【符号の説明】
【００５１】
１１、１０１  導波路基板
１２、１０２  入力ポート
１３、１０３  出力ポート
１４、１０４  入力導波路
１５、１０５  入力スラブ導波路
１６、１０６  アレイ導波路
１７、１０７  出力スラブ導波路
１８、１０８  出力導波路
１００  アレイ導波路型波長合分波回路
１０９  光受信素子
１１０  光送信素子
【図１】
2005134481.tif 000003
【図２】
2005134481.tif 000004
【図３】
2005134481.tif 000005
【図４】
2005134481.tif 000006
【図５】
2005134481.tif 000007
【図６】
2005134481.tif 000008
【図７】
2005134481.tif 000009
【図８】
2005134481.tif 000010
【図９】
2005134481.tif 000011
【図１０】
2005134481.tif 000012